(57)【特許請求の範囲】
【請求項１】
車体後部のリヤフロアに形成されるスペアタイヤハウスと、該スペアタイヤハウスの車両前方に配設され、左右両側のサイドフレームを連結するリヤクロスメンバと、前記スペアタイヤハウスの下面の車幅方向中央に配設され、車両前後方向に延在する牽引フック用のフック補強部材とを備えている車体後部の下部構造において、
前記リヤクロスメンバから車両後方の前記サイドフレームは、車両前後方向でフレーム前部とフレーム後部とに分割され、前記フック補強部材は、車両前後方向で補強部材前部と補強部材後部とに分割されており、
車両後方からの荷重が車体後部に掛かるとき、前記サイドフレームが、前記フレーム前部と前記フレーム後部との分割位置で上方の凸形状に折れもしくは下方の凸形状に折れる変形を生じるとともに、前記リヤフロア及び前記フック補強部材が、前記補強部材前部と前記補強部材後部との分割位置で下方の凸形状に折れもしくは上方の凸形状に折れる変形を生じるように構成されていることを特徴とする車体後部の下部構造。
【請求項２】
前記リヤクロスメンバから車両後方の前記サイドフレームのうち、前記フレーム前部は前記フレーム後部よりも高い剛性を有し、前記フック補強部材のうち、前記補強部材後部は前記補強部材前部よりも高い剛性を有し、前記フレーム前部及び前記フレーム後部の分割位置と前記補強部材前部及び前記補強部材後部の分割位置とが前後方向で一致していることを特徴とする請求項１に記載の車体後部の下部構造。
【請求項３】
前記フレーム前部は、スプリングプレート補強部材を取付けることにより剛性が高められ、前記補強部材後部は、上方側よりも下方側の閉断面積を大きくし、かつ前記牽引フックを取付けることにより剛性が高められていることを特徴とする請求項２に記載の車体後部の下部構造。
【請求項４】
前記リヤフロアの両側部は、左右両側の前記サイドフレームにそれぞれ連結されていることを特徴とする請求項１〜３のいずれかに記載の車体後部の下部構造。
【請求項５】
前記補強部材後部の閉断面積は、車両後方に向かって大きくなり、前記補強部材後部の最大閉断面積部分に形成された略水平面部には、前記牽引フックが取付けられていることを特徴とする請求項２〜４のいずれかに記載の車体後部の下部構造。
【請求項６】
前記リヤフロアには、車幅方向に延在するビードが設けられ、該ビードの位置と、前記フレーム前部及び前記フレーム後部の分割位置と、前記補強部材前部及び前記補強部材後部の分割位置とが一致し、前記スペアタイヤハウスの部分の前記ビードは下方に突出する凸形状に形成され、その他の部分の前記ビードは上方に突出する凸形状に形成されていることを特徴とする請求項１〜５のいずれかに記載の車体後部の下部構造。
【発明の詳細な説明】
【技術分野】
【０００１】
本発明は、特に、車体後部のリヤフロアに形成されるスペアタイヤハウスを備える車両の車体後部の下部構造に関する。
【背景技術】
【０００２】
一般的な車両では、車体後部のリヤフロアにスペアタイヤを収納するためのスペアタイヤハウスが設けられている。このような構造の車両において、車両後方からの荷重が加えられた場合、車体と比較してスペアタイヤが硬いため、スペアタイヤが車両前方へ向かって移動することに伴って、スペアタイヤハウスが変形し、かつ車両前方に移動することがある。特に、スペアタイヤハウスの車両前方には燃料タンクが配置されているので、変形したスペアタイヤハウスが燃料タンクに接触するおそれがあり、好ましくない。
【０００３】
このような場合に、スペアタイヤハウスとバックパネルとの間に十分なスペースを確保することによって、スペアタイヤハウス周辺で荷重を吸収する対策が考えられる。また、スペアタイヤハウスの車両前方に燃料タンクが配置される場合には、スペアタイヤハウスと燃料タンクとの間の距離を十分に確保することによって、スペアタイヤハウス周辺で荷重を吸収する対策が考えられる。
一方、スペアタイヤハウス及び燃料タンク以外の部品を配置するスペースも確保する必要があり、かつ車体部品のレイアウトには制限が多いため、スペアタイヤハウス後方の空間、スペアタイヤハウス及び燃料タンクの間の距離などを十分に確保できないことが多い。また、スペアタイヤハウス後方の空間、スペアタイヤハウス及び燃料タンクの間の距離などを十分に確保しようとすると、車体が大型化するという問題があり、このことは、特に小型車の場合に問題となる。
【０００４】
さらに、スペアタイヤハウスの前側上方には後部座席が配置されており、車両後方からの荷重が加えられる場合、スペアタイヤが前側上方に移動することがある。このとき、スペアタイヤが後部座席に接触するという問題がある。
【０００５】
そこで、例えば、特許文献１に開示された構造では、変形したスペアタイヤハウスが燃料タンクと接触するのを避けるため、スペアタイヤの前側を燃料タンクの配設位置よりも上方に持ち上げて、スペアタイヤを傾斜させた状態でスペアタイヤハウスに収納している。
【０００６】
また、特許文献２に開示された構造では、変形したスペアタイヤハウスが燃料タンクと接触するのを避け、かつスペアタイヤが後部座席と接触するのを防止するために、スペアタイヤの前側を燃料タンクの配設位置よりも上方に持ち上げて、スペアタイヤを傾斜させた状態でスペアタイヤハウスに収納しているとともに、スペアタイヤの中心をスペアタイヤハウスに取付けるためのスペアタイヤブラケットの車両後方側に脆弱部を設けており、車両後方から荷重が掛かった場合に、この脆弱部を起点としてスペアタイヤブラケットを変形させることによって、スペアタイヤの前側がさらに持ち上げられ、スペアタイヤが回転してさらに傾斜するようにしている。
【先行技術文献】
【特許文献】
【０００７】
【特許文献１】特開平１０−３１６０５０号公報
【特許文献２】特開２００７−２７６６０５号公報
【発明の概要】
【発明が解決しようとする課題】
【０００８】
しかしながら、上述した特許文献１のように、スペアタイヤの前側を燃料タンクの配設位置よりも上方に持ち上げて、スペアタイヤを傾斜させた状態でスペアタイヤハウスに収納する構造のみでは、車両後方からの荷重が加えられた場合に、スペアタイヤが前側上方に向かって移動し易くなってしまう。そのため、依然としてスペアタイヤが後部座席に接触するおそれがあった。
また、上述した特許文献２のように、スペアタイヤを取付けるスペアタイヤブラケットに脆弱部を設ける構造では、この脆弱部を起点として、スペアタイヤが車両走行中に振動し易くなっている。そのため、このスペアタイヤの振動によって騒音が発生し、さらに疲労亀裂によってスペアタイヤブラケット自体が損傷し易くなるという問題があった。
【０００９】
本発明はこのような実状に鑑みてなされたものであって、その目的は、車両走行中におけるスペアタイヤの振動の発生を防止し、かつ車両後方からの荷重が加えられる場合に、スペアタイヤハウスの車両前方への変形及びスペアタイヤの車両前方への移動を防ぐとともに、スペアタイヤの前側上方への移動を防ぐことが可能な車体後部の下部構造を提供することにある。
【課題を解決するための手段】
【００１０】
上記従来技術の有する課題を解決するために、本発明は、車体後部のリヤフロアに形成されるスペアタイヤハウスと、該スペアタイヤハウスの車両前方に配設され、左右両側のサイドフレームを連結するリヤクロスメンバと、前記スペアタイヤハウスの下面の車幅方向中央に配設され、車両前後方向に延在する牽引フック用のフック補強部材とを備えている車体後部の下部構造において、前記リヤクロスメンバから車両後方の前記サイドフレームは、車両前後方向でフレーム前部とフレーム後部とに分割され、前記フック補強部材は、車両前後方向で補強部材前部と補強部材後部とに分割されており、車両後方からの荷重が車体後部に掛かるとき、前記サイドフレームが、前記フレーム前部と前記フレーム後部との分割位置で上方の凸形状に折れもしくは下方の凸形状に折れる変形を生じるとともに、前記リヤフロア及び前記フック補強部材が、前記補強部材前部と前記補強部材後部との分割位置で下方の凸形状に折れもしくは上方の凸形状に折れる変形を生じるように構成されている。
【００１１】
また、本発明において、前記リヤクロスメンバから車両後方の前記サイドフレームのうち、前記フレーム前部は前記フレーム後部よりも高い剛性を有し、前記フック補強部材のうち、前記補強部材後部は前記補強部材前部よりも高い剛性を有し、前記フレーム前部及び前記フレーム後部の分割位置と前記補強部材前部及び前記補強部材後部の分割位置とが前後方向で一致している。
さらに、本発明において、前記フレーム前部は、スプリングプレート補強部材を取付けることにより剛性が高められ、前記補強部材後部は、上方側よりも下方側の閉断面積を大きくし、かつ前記牽引フックを取付けることにより剛性が高められている。
【００１２】
そして、本発明において、前記リヤフロアの両側部は、左右両側の前記サイドフレームにそれぞれ連結されている。
また、本発明において、前記補強部材後部の閉断面積は、車両後方に向かって大きくなり、前記補強部材後部の最大閉断面積部分に形成された略水平面部には、前記牽引フックが取付けられている。
【００１３】
さらに、本発明において、前記リヤフロアには、車幅方向に延在するビードが設けられ、該ビードの位置と、前記フレーム前部及び前記フレーム後部の分割位置と、前記補強部材前部及び前記補強部材後部の分割位置とが一致し、前記スペアタイヤハウスの部分の前記ビードは下方に突出する凸形状に形成され、その他の部分の前記ビードは上方に突出する凸形状に形成されている。
【発明の効果】
【００１４】
上述の如く、本発明に係る車体後部の下部構造は、車体後部のリヤフロアに形成されるスペアタイヤハウスと、該スペアタイヤハウスの車両前方に配設され、左右両側のサイドフレームを連結するリヤクロスメンバと、前記スペアタイヤハウスの下面の車幅方向中央に配設され、車両前後方向に延在する牽引フック用のフック補強部材とを備えているものであって、前記リヤクロスメンバから車両後方の前記サイドフレームは、車両前後方向でフレーム前部とフレーム後部とに分割され、前記フック補強部材は、車両前後方向で補強部材前部と補強部材後部とに分割されており、車両後方からの荷重が車体後部に掛かるとき、前記サイドフレームが、前記フレーム前部と前記フレーム後部との分割位置で上方の凸形状に折れもしくは下方の凸形状に折れる変形を生じるとともに、前記リヤフロア及び前記フック補強部材が、前記補強部材前部と前記補強部材後部との分割位置で下方の凸形状に折れもしくは上方の凸形状に折れる変形を生じるように構成されているので、サイドフレームとリヤフロア及びフック補強部材とが逆方向に折れることによって、同じ方向に折れる場合よりも折れ変形中の抵抗力が大きくなり、車両後方から車体後部に掛かった荷重を確実に吸収することができる。ここで、下方の凸形状に折れは、谷形折れ（Ｖ字折れ）ともいい、上方の凸形状に折れは、山形折れともいう。
しかも、本発明の下部構造によれば、車両後方からの荷重吸収中の変形を車両前方へ真っ直ぐにコントロールできる。すなわち、谷形折れ（Ｖ字折れ）は車体後部が上方に持ち上がる傾向にあり、山形折れは車体後部が下方に下がる傾向にあるので、混合折れによって変形方向を車両前方へ安定させ、設計通りの変形をさせることで、車両後方からの荷重の吸収を効果的に行うことができる。
【００１５】
また、本発明において、前記リヤクロスメンバから車両後方の前記サイドフレームのうち、前記フレーム前部は前記フレーム後部よりも高い剛性を有し、前記フック補強部材のうち、前記補強部材後部は前記補強部材前部よりも高い剛性を有し、前記フレーム前部及び前記フレーム後部の分割位置と前記補強部材前部及び前記補強部材後部の分割位置とが前後方向で一致しているので、車両後方からの荷重が車体後部に掛かるとき、サイドフレームの変形は剛性の小さいフレーム後部から進む一方、フック補強部材の補強部材後部が荷重を受けて車両前方へ移動を始め、バンパーメンバが車両前方に移動し、補強部材前部へ荷重が伝わることになる。この際、補強部材後部は、剛性が高く変形しながらもその形を保って後端が上方に移動することになるので、リヤフロア及びフック補強部材は谷形変形を起こし、車両後方からの荷重を確実に吸収することができる。
さらに、本発明において、前記フレーム前部は、スプリングプレート補強部材を取付けることにより剛性が高められ、前記補強部材後部は、上方側よりも下方側の閉断面積を大きくし、かつ前記牽引フックを取付けることにより剛性が高められているので、上記効果をより確実に発揮することができる。
【００１６】
また、本発明において、前記リヤフロアの両側部は、左右両側の前記サイドフレームにそれぞれ連結されているので、フック補強部材に連結されているリヤフロアのスペアタイヤハウスの部分が谷形折れする一方、サイドフレームに連結しているリヤフロアの左右両端部が山形折れすることになる。したがって、リヤフロアは、左右両側で上方の凸形状に折れ、車幅方向中央で下方の凸形状に折れる異なる方向の変形が起こり、その境界付近では複雑な皺ができた変形となるので、車両後方からの荷重の吸収効率を向上させることができる。
【００１７】
さらに、本発明において、前記補強部材後部の閉断面積は、車両後方に向かって大きくなり、前記補強部材後部の最大閉断面積部分に形成された略水平面部には、前記牽引フックが取付けられているので、車両後方からの荷重に伴って生じるリヤフロア及びフック補強部材の谷形折れを促進できる。
【００１８】
また、本発明において、前記リヤフロアには、車幅方向に延在するビードが設けられ、該ビードの位置と、前記フレーム前部及び前記フレーム後部の分割位置と、前記補強部材前部及び前記補強部材後部の分割位置とが一致し、前記スペアタイヤハウスの部分の前記ビードは下方に突出する凸形状に形成され、その他の部分の前記ビードは上方に突出する凸形状に形成されているので、リヤフロアの左右両端部は山形折れを確実に起こし、フック補強部材周辺は谷形折れを確実に起こすことになり、車両後方からの荷重に伴って生じるリヤフロア及びフック補強部材の変形をより一層促進できる。しかも、山形折れと谷形折れに挟まれたリヤフロアのパネル部分の変形は両方の変形が混ざっているため、車両後方からの荷重吸収性向上をより一層図ることができる。
【図面の簡単な説明】
【００１９】
【図１】本発明の実施形態に係る下部構造が適用される車両の車体後部を示す斜視図である。
【図２】本発明の実施形態の下部構造が適用された車体後部において、スペアタイヤハウス周辺の構成部材の配置関係を前側斜め下方から見た斜視図である。
【図３】本発明の実施形態の下部構造が適用された車体後部において、スペアタイヤハウス周辺の構成部材の配置関係を示す側面図である。
【図４】本発明の実施形態の下部構造が適用された車体後部において、スペアタイヤハウス周辺の構成部材の配置関係を示す断面図である。
【図５】本発明の実施形態の下部構造が適用された車体後部において、スペアタイヤハウス周辺の構成部材の配置関係を後側斜め下方から見た斜視図である。
【図６】本発明の実施形態の下部構造が適用された車体後部において、車両後方からの荷重が車体後部に掛かった状態を示すものであって、（ａ）はその初期状態の側面図、（ｂ）はその最終状態の側面図である。
【発明を実施するための形態】
【００２０】
以下、本発明を図示の実施の形態に基づいて詳細に説明する。
図１〜図６は本発明の実施形態に係る車体後部の下部構造を示すものである。
【００２１】
本発明の実施形態に係る車両の車体後部１の下部には、図１〜図５に示すように、リヤフロア２が設けられており、該リヤフロア２の中央部には、横置き配置のスペアタイヤＳＴ（図６参照）を収納するための収納凹部たるスペアタイヤハウス３が形成されている。このスペアタイヤハウス３の車両前方位置には、車両前後方向に沿って延在している左右両側のサイドフレーム４を連結するリヤクロスメンバ５が配設されており、該リヤクロスメンバ５は、車幅方向に沿って延在している。また、スペアタイヤハウス３の下面の車幅方向中央には、車両前後方向に沿って延在する牽引フック用のフック補強部材６が配設されている。したがって、本実施形態の車体後部１の下部構造は、スペアタイヤハウス３、サイドフレーム４、リヤクロスメンバ５及びフック補強部材６を備えている。なお、スペアタイヤハウス３の車両前方位置のリヤフロア２上には、後部座席７が配設されている。
【００２２】
また、スペアタイヤハウス３の車両後方には、バックパネル８及びリヤバンパーメンバ９が配設されている。このリヤバンパーメンバ９は、左右両側のバンパー取付部９ａを介して車体後部１に取付けられており、サイドフレーム４の後端部とバンパー取付部９ａとは、車両前後方向に沿ってほぼ一直線に配置されている。
さらに、スペアタイヤハウス３内には、スペアタイヤＳＴの中心部を取付けるためのスペアタイヤブラケット３ａが上方へ突出して設けられており、収納されたスペアタイヤＳＴは、後部が前部より上方に位置するような前倒された状態で傾斜配置されている。
【００２３】
本実施形態の車体後部１の下部構造において、リヤクロスメンバ５から車両後方のサイドフレーム４は、車両前後方向の分割位置１０でフレーム前部１１とフレーム後部１２とに分割され、また、フック補強部材６も、車両前後方向の分割位置２０で補強部材前部２１と補強部材後部２２とに分割されており、車両後方からの荷重が車体後部１に掛かるとき、サイドフレーム４がフレーム前部１１とフレーム後部１２との分割位置１０で上方の凸形状に折れる変形（山形折れ）を生じるとともに、リヤフロア２及びフック補強部材６が補強部材前部２１と補強部材後部２２との分割位置２０で下方の凸形状に折れる変形（谷形折れ）を生じるように構成されている。
【００２４】
このため、リヤクロスメンバ５から車両後方のサイドフレーム４のうち、フレーム前部１１は、スプリングプレート補強部材１３を取付けることによって剛性が高められており、フレーム後部１２よりも高い剛性を有している。
また、フック補強部材６は、断面ハット形状に形成され、リヤフロア２の下面に取付けられた状態では、リヤフロア２と相俟って閉断面形状を有している。しかも、フック補強部材６のうち、補強部材後部２２は、上方側よりも下方側の閉断面積が大きく、かつ、この閉断面積は、車両後方に向かって大きくなっており、補強部材後部２２の最大閉断面積部分には、略水平面部２２ａが形成されている。この略水平面部２２ａには、前端部を溶接により固着した牽引フック２３が取付けられ、該牽引フック２３の後端部は、補強部材後部２２から車両後方へ向かって斜め下方に突出させた状態で配置されている。このような構成によって、補強部材後部２２は、剛性が高められており、補強部材前部２１よりも高い剛性を有している。
さらに、フレーム前部１１及びフレーム後部１２の分割位置１０と、補強部材前部２１及び補強部材後部２２の分割位置２０とは、車両前後方向で一致するように配置されている。
【００２５】
一方、リヤフロア２の両側部は、左右両側に配置されたサイドフレーム４にそれぞれ連結されている。また、リヤフロア２には、車幅方向に沿って延在する突条部たるビード３１が設けられている。このビード３１の位置と、サイドフレーム４のフレーム前部１１及びフレーム後部１２の分割位置１０と、フック補強部材６の補強部材前部２１及び補強部材後部２２の分割位置２０とは、車両前後方向で一致するように配置されている。しかも、スペアタイヤハウス３の部分の中央ビード部３１ａは、下方に突出する凸形状に形成され、その他の部分の側方ビード部３１ｂは、上方に突出する凸形状に形成されており、サイドフレーム４及びフック補強部材６の設置箇所に対応して、リヤフロア２が逆方向へ折れ変形を生じるように構成されている。
【００２６】
本発明の実施形態に係る車体後部１の下部構造が適用された車両において、図６（ａ）に示すように、車両後方から車両前方へ向かって荷重Ｆが車体後部１のリヤバンパーメンバ９に入力された場合、当該荷重Ｆはバンパー取付部９ａを経てサイドフレーム４の後部に伝わる。すると、サイドフレーム４は、フレーム前部１１とフレーム後部１２との分割位置１０で、フレーム前部１１の後端及びフレーム後部１２の前端がやや持ち上がり、上方へ向かう凸形状の山形に折れる変形が生じることになる。
そして、図６（ｂ）に示すように、車両後方から車両前方へ向かって荷重Ｆが更に車体後部１のバックパネル８及びリヤフロア２に入力された場合、当該荷重Ｆはサイドフレーム４、スペアタイヤハウス３及びフック補強部材６の後部に伝わる。これに伴い、サイドフレーム４は、分割位置１０のフレーム前部１１の後端及びフレーム後部１２の前端が大きく持ち上がり、上方へ向かう鋭角の山形に折れる変形が生じる。それと共に、スペアタイヤハウス３が変形しながら、リヤフロア２及びフック補強部材６が、ビード３１の配設位置及び補強部材前部２１と補強部材後部２２との分割位置２０で、下方へ向かう凸形状の谷形に折れる変形が生じることになる。
これらサイドフレーム４と、リヤフロア２及びフック補強部材６とが逆方向に折れ変形する際には大きな抵抗力が発生するから、車両後方から車体後部に掛かった荷重Ｆが吸収されることになる。また、荷重Ｆによってスペアタイヤハウス３が変形すると、前倒しに傾斜配置されたスペアタイヤＳＴの後部が前部を中心に跳ね上げられて、車両前方へ向かって縦方向に回動することになる。
【００２７】
このように、本発明の実施形態に係る車体後部１の下部構造においては、リヤクロスメンバ５から車両後方のサイドフレーム４が、車両前後方向でフレーム前部１１とフレーム後部１２とに分割され、フック補強部材６は、車両前後方向で補強部材前部２１と補強部材後部２２とに分割されており、車両後方からの荷重Ｆが車体後部１に掛かるとき、サイドフレーム４が、フレーム前部１１と前記フレーム後部１２との分割位置１０で上方の凸形状に折れる変形を生じるとともに、リヤフロア２及びフック補強部材６が、ビード３１の配設位置及び補強部材前部２１と補強部材後部２２との分割位置２０で下方の凸形状に折れる変形を生じるようになっている。したがって、サイドフレーム４とリヤフロア２及びフック補強部材６とが逆方向に折れることになり、同じ方向に折れる場合よりも折れ変形中の抵抗力が大きくなり、車両後方から車体後部１に掛かった荷重Ｆを確実に吸収することができる。これにより、リヤクロスメンバ５、サイドフレーム４、スペアタイヤハウス３などの車両前方への移動を効果的に阻止することが可能となり、スペアタイヤハウス３などの車両前方に位置する燃料タンクなどの損傷を防止でき、車両後方からの荷重Ｆによる燃料漏れ規制法規に対応することができるとともに、スペアタイヤＳＴの挙動を制御して、スペアタイヤＳＴが後部座席７に接触するのを防止することができる。
【００２８】
また、本実施形態の下部構造では、リヤクロスメンバ５から車両後方のサイドフレーム４のうち、フレーム前部１１はフレーム後部１２よりも高い剛性を有し、フック補強部材６のうち、補強部材後部２２は補強部材前部２１よりも高い剛性を有し、フレーム前部１１及びフレーム後部１２の分割位置１０と補強部材前部２１及び補強部材後部２２の分割位置２０とが前後方向で一致しているため、車両後方からの荷重Ｆが車体後部１に掛かるとき、サイドフレーム４の変形はリヤバンパーメンバ９のバンパー取付部９ａを介して剛性の小さいフレーム後部１２から進む一方、補強部材後部２２が荷重Ｆを受けて車両前方へ移動を始め、リヤバンパーメンバ９が車両前方に移動し、補強部材前部２１へ荷重Ｆが伝わることになる。この際、補強部材後部２２は、剛性が高く変形しながらもその形を保って後端が上方に移動することになり、リヤフロア２及びフック補強部材６は谷形変形を起こし、車両後方からの荷重Ｆをより効果的に吸収することができる。
【００２９】
以上、本発明の実施の形態につき述べたが、本発明は既述の実施の形態に限定されるものではなく、本発明の技術的思想に基づいて各種の変形及び変更が可能である。
【００３０】
例えば、既述の実施形態では、車両後方からの荷重Ｆが車体後部１に掛かるとき、サイドフレーム４がフレーム前部１１とフレーム後部１２との分割位置１０で上方の凸形状に折れる変形（山形折れ）を生じるとともに、リヤフロア２及びフック補強部材６が補強部材前部２１と補強部材後部２２との分割位置２０で下方の凸形状に折れる変形（谷形折れ）を生じるように構成されているが、前後方向の剛性の高さなどを変えることによって、サイドフレーム４が分割位置１０で谷形折れを生じ、リヤフロア２及びフック補強部材６が分割位置２０で山形折れを生じるように構成されていても、同様の効果を奏する。
【符号の説明】
【００３１】
１  車体後部
２  リヤフロア
３  スペアタイヤハウス
４  サイドフレーム
５  リヤクロスメンバ
６  フック補強部材
７  後部座席
８  バックパネル
９  リヤバンパーメンバ
１０  分割位置
１１  フレーム前部
１２  フレーム後部
１３  スプリングプレート補強部材
２０  分割位置
２１  補強部材前部
２２  補強部材後部
２２ａ  略水平面部
２３  牽引フック
３１  ビード
Ｆ  車両後方からの荷重
ＳＴ  スペアタイヤ
【図１】
0005435347.tif 000002
【図４】
0005435347.tif 000003
【図６】
0005435347.tif 000004
【図２】
0005435347.tif 000005
【図３】
0005435347.tif 000006
【図５】
0005435347.tif 000007